(57)【要約】【課題】  撮影した画像の画像データを記録媒体に記録する際に、撮影者が所望の分類条件でフォルダーごとに分類・記録する電子カメラを提供する。【課題】  電子カメラ本体１００に装着されている記録媒体２００の記録領域内２０１内に１つもしくは複数存在するフォルダーの中から、撮影者が所望のフォルダー２０２を選択すると、前記フォルダー２０２付帯されているフォルダー情報ファイル２０３が有する画像データ分類条件を電子カメラ本体１００内の画像データ分類条件設定メモリ５８が記憶する。撮影が行われた際には、撮影した画像の画像データを前記画像データ分類条件設定メモリ５８に記憶されている画像データ分類条件に関して分類し、分類結果に合ったフォルダーに記録する。【選択図】        図１
2005252956.tif 000002
【特許請求の範囲】
【請求項１】
撮影レンズによって投影された被写界像を撮像し、電気信号に変換し、撮影された画像を画像データとして記録媒体の記録領域内のフォルダーに記録する電子カメラにおいて、１つもしくは複数の画像データ分類条件と、撮影者が所望の画像データ分類条件を選択する画像データ分類条件選択手段を有し、撮影日時と撮影場所と撮影条件を検出する電子カメラ状態検出手段と、撮影された画像を評価する画像評価手段と、主被写体判別手段と、撮影者認識手段を有し、各々が画像データ分類条件に関係付けられている前記電子カメラ状態検出手段、前記画像評価手段、前記主被写体判別手段、前記撮影者認識手段のいずれかの判定結果により画像データを分類し、前記画像データを記録するフォルダーを指定する画像データ分類手段と、該画像データ分類手段によって指定された記録媒体の記録領域内のフォルダーに記録する画像データ記録手段を有することを特徴とする電子カメラ。
【請求項２】
記録媒体の記録領域内に１つもしくは複数存在するフォルダーに付帯されているフォルダー情報ファイルが、前記画像データ分類条件を格納しており、撮影者所望のフォルダーを選択するフォルダー選択手段を電子カメラが有することを特徴とする請求項１に記載の電子カメラ。
【請求項３】
電子カメラ本体に１つもしくは複数の固体メモリが内蔵されており、該固体メモリ内に前記画像データ分類条件を格納している画像データ分類条件ファイルが存在することを特徴とする請求項１に記載の電子カメラ。
【請求項４】
前記画像データ分類手段により指定されたフォルダーを記録媒体の記録領域内に作成するフォルダー作成手段を有する請求項１に記載の電子カメラ。
【請求項５】
前記フォルダー情報ファイルが格納している画像データ分類条件を、前記画像データ分類条件ファイルに記憶させる画像データ分類条件記憶手段を有することを特徴とする請求項１に記載の電子カメラ。
【発明の詳細な説明】
【技術分野】
【０００１】
本発明は、被写界像を撮像して得られた画像データを、記録媒体の記録領域内のフォルダーに記録する電子カメラに関する。より詳しくは、画像データを撮影者が選択した分類条件により分類し、分類結果により指定されたフォルダーに画像データを記録する電子カメラに関する。
【背景技術】
【０００２】
電子カメラにおいては、撮像素子を介して撮影により取得した画像は画像データとして電子カメラ内部のメモリや着脱可能なＩＣカードなどの記録媒体（リムーバブルメディア）に記録される。こうして記録された画像は、液晶モニターなどの表示装置に表示させることができると共に、パソコンなどの外部装置に転送して利用することができる。
【０００３】
図５は従来の電子カメラにおける記録媒体内のフォルダー階層構造を示す概念図である。フォーマットされた記録媒体はルート（ＲＯＯＴ）の下に「ＤＳＣ」フォルダーが作成され、この下に１００＿Ａ，１０１＿Ａ，１０２＿Ａ，…１０９＿Ａという１０個のフォルダーが仮想的に用意される。空のフォルダーを作らないために、記録媒体を初期化した段階では１００＿Ａ，１０１＿Ａ，１０２＿Ａ，…１０９＿Ａというフォルダーは実際には作成されていない。
【０００４】
撮影者が「１００＿Ａ」〜「１０９＿Ａ」のうちから何れかのフォルダーを選択して、実際に画像データをフォルダーに格納する際に、実質的なフォルダーの作成が行われる。
【０００５】
デフォルトで１００＿Ａが設定されているが、フォルダー選択手段によって自由に選択することができる。
【０００６】
各フォルダーには９９９９枚の画像（９９９９個の画像データ）を格納することができる。画像データは撮影順番に従って「ＤＳＣ＊＊＊＊．ＪＰＧ」というファイル名が自動的に付与される。「ＤＳＣ」に続く４桁の番号が当該フォルダー内におけるファイル番号となる。
【０００７】
このように従来のデジタルカメラでは、記録媒体に単一のフォルダーを作成し、このフォルダーに画像データを順次格納していくようになっている。また、最初に作成した１つのフォルダーがデータの記録限界（Ｆｕｌｌ）に達した時点で、次のフォルダーが自動生成され、以後そのフォルダーに画像データが記録されていくカメラもある。
【０００８】
このような従来の記録方法では、撮影順に画像データが蓄積されるに過ぎず、例えば、撮影場所を変えて多数の撮影を行う場合や、撮影日時・被写体を変えて撮影する場合など、記録メディアに蓄積された画像データを後で分類、整理するのが困難である。
【０００９】
この点、特許文献１には、画像データのファイルを見やすく整理するため、撮影モード毎にフォルダーを作成して、その中に所定の撮影モードで撮影された画像データのファイルのみを格納するようにしている。またその他にも、撮影日時や撮影場所、被写体、撮影条件などによってフォルダーを変更し、画像データを記録媒体に分類して記録する提案も多数なされている。
【特許文献１】特開平６−２３３２２５号公報
【発明の開示】
【発明が解決しようとする課題】
【００１０】
しかしながら、撮影者が所望する画像データ分類条件が撮影毎に異なる場合もあり、容易に画像データ分類条件が選択可能な電子カメラが望まれた。また、従来の電子カメラでは、画像データ分類後に記録するべきフォルダーを予め記録媒体の記録領域内に用意しておかなければならず、不用意の記録媒体では画像データの分類・記録を撮影者の所望通りに行うことが出来ず、不便であった。
【００１１】
本発明は前記問題点を鑑みてなされたものであり、その目的とするところは、撮影者が所望の画像データ分類条件選択を容易にし、撮影者が選択した分類条件によって撮影した画像の画像データを分類して記録媒体に記録することが可能な電子カメラを提供することである。また、記録媒体の記録領域に所定のフォルダーを用意しておかずとも、画像データの分類・記録が可能な電子カメラを提供することである。
【課題を解決するための手段】
【００１２】
本発明は上記目的を達成するために、第１に、撮影レンズによって投影された被写界像を撮像し、電気信号に変換し、撮影された画像を画像データとして記録媒体の記録領域内のフォルダーに記録する電子カメラにおいて、１つもしくは複数の画像データ分類条件と、撮影者が所望の画像データ分類条件を選択する画像データ分類条件選択手段を有し、前記画像データ分類条件選択手段によって選択された画像データ分類条件により画像データを分類し、前記画像データを記録するフォルダーを指定する画像データ分類手段と、該画像データ分類手段によって指定された記録媒体の記録領域内のフォルダーに記録する画像データ記録手段を有することを特徴としている。
【００１３】
このような電子カメラでは、１つもしくは複数存在する画像データ分類条件の中から撮影者が所望の画像データ分類条件を選択し、選択された画像データ分類条件によって画像データを分類・記録するので、撮影毎に画像データ分類条件を変更することが可能であり、撮影者が所望する画像データの分類・記録が可能となる。
【００１４】
第２に、記録媒体の記録領域内に１つもしくは複数存在するフォルダーに付帯されているフォルダー情報ファイルが、前記画像データ分類条件を格納しており、撮影者所望のフォルダーを選択するフォルダー選択手段を電子カメラが有することを特徴としている。
【００１５】
このような電子カメラでは、フォルダーに付帯のフォルダー情報ファイル内に画像データ分類条件を格納しているので、撮影者がフォルダーを選択することで、撮影者は画像データ分類条件を選択することが可能となる。
【００１６】
第３に、電子カメラ本体に１つもしくは複数の固体メモリが内蔵されており、該固体メモリ内に前記画像データ分類条件を格納している画像データ分類条件ファイルが存在することを特徴としている。
【００１７】
このような電子カメラでは、電子カメラ本体内に画像データ分類条件を格納している画像データ分類条件ファイルが存在しているので、記録媒体内に画像データ分類条件を格納したフォルダー情報ファイルが付帯されているフォルダーが存在していなくとも、画像データ分類条件を選択することが可能となる。
【００１８】
第４に、前記画像データ分類手段により指定されたフォルダーを記録媒体の記録領域内に作成するフォルダー作成手段を有することを特徴としている。
【００１９】
このような電子カメラでは、画像データ分類手段により指定されたフォルダーが記録媒体の記録領域に存在しなくとも、新たにフォルダーを作成し、画像データを記録することが可能となる。
【００２０】
第５に、前記フォルダー情報ファイルが格納している画像データ分類条件を、前記画像データ分類条件ファイルに記憶させる画像データ分類条件記憶手段を有することを特徴としている。
【００２１】
このような電子カメラでは、記録媒体の記録領域に存在するフォルダーに付帯のフォルダー情報ファイルが有する画像データ分類条件を電子カメラ本体内に存在する画像データ分類条件ファイルに記憶することにより、画像データ分類条件ファイルに格納されている画像データ分類条件が増加し、撮影者はより多くの画像データ分類条件から所望のものを選択することが可能となる。
【００２２】
以上、本発明についてその詳細を説明したが、更にこれを要約すれば下記の構成によって前記課題を解決できた。
【００２３】
（１）撮影レンズによって投影された被写界像を撮像し、電気信号に変換し、撮影された画像を画像データとして記録媒体の記録領域内のフォルダーに記録する電子カメラにおいて、１つもしくは複数の画像データ分類条件と、撮影者が所望の画像データ分類条件を選択する画像データ分類条件選択手段を有し、撮影日時と撮影場所と撮影条件を検出する電子カメラ状態検出手段と、撮影された画像を評価する画像評価手段と、主被写体判別手段と、撮影者認識手段を有し、各々が画像データ分類条件に関係付けられている前記電子カメラ状態検出手段、前記画像評価手段、前記主被写体判別手段、前記撮影者認識手段のいずれかの判定結果により画像データを分類し、前記画像データを記録するフォルダーを指定する画像データ分類手段と、該画像データ分類手段によって指定された記録媒体の記録領域内のフォルダーに記録する画像データ記録手段を有することを特徴とする電子カメラ。
【００２４】
（２）記録媒体の記録領域内に１つもしくは複数存在するフォルダーに付帯されているフォルダー情報ファイルが、前記画像データ分類条件を格納しており、撮影者所望のフォルダーを選択するフォルダー選択手段を電子カメラが有することを特徴とする前記（１）に記載の電子カメラ。
【００２５】
（３）電子カメラ本体に１つもしくは複数の固体メモリが内蔵されており、該固体メモリ内に前記画像データ分類条件を格納している画像データ分類条件ファイルが存在することを特徴とする前記（１）に記載の電子カメラ。
【００２６】
（４）前記画像データ分類手段により指定されたフォルダーを記録媒体の記録領域内に作成するフォルダー作成手段を有する前記（１）に記載の電子カメラ。
【００２７】
（５）前記フォルダー情報ファイルが格納している画像データ分類条件を、前記画像データ分類条件ファイルに記憶させる画像データ分類条件記憶手段を有することを特徴とする前記（１）に記載の電子カメラ。
【発明の効果】
【００２８】
本発明に記載の電子カメラでは、撮影者が所望の画像データ分類条件選択を容易にし、撮影者が選択した分類条件によって撮影した画像の画像データを分類して記録媒体に記録することが可能である。また、記録媒体の記録領域に所定のフォルダーを用意しておかずとも、画像データの分類・記録が可能である。
【発明を実施するための最良の形態】
【００２９】
以下、図面を参照して本発明の実施の形態を説明する。
【実施例】
【００３０】
図１は、本発明の第１の実施形態を示す電子カメラの内部構成を示すブロック構成図である。
【００３１】
図１に示すように、本実施形態の電子カメラは、電子カメラ本体を構成する電子カメラ本体１００と、複数の撮影レンズ３１０などからなる撮影光学系など（以下、単に撮影レンズ３１０または撮影光学系という）とこれを駆動させる駆動手段および撮影レンズ３１０を透過する光束の入射光量を調整する光量制限手段などによって構成される撮影レンズユニット３００とによって構成されており、撮影レンズユニット３００は電子カメラ本体１００に対して着脱自在に配設されている。
【００３２】
電子カメラ本体１００は、以下のように構成されている。
【００３３】
１２は撮像素子１４への露光量を制御するためのシャッターで、１４は光学像を電気信号に変換する撮像素子である。撮影レンズ３１０に入射した光線は、一眼レフ方式によって光量制限手段である絞り３１２、レンズマウント３０６および１０６、ミラー１３０、シャッター１２を介して導き、光学像として撮像素子１４上に結像する。
【００３４】
１３０、１３２はミラーで、撮影レンズ３１０に入射した光線を一眼レフ方式によって光学ファインダー１０４に導く。なお、ミラー１３０はクイックリターンミラーの構成としても、ハーフミラーの構成としても、どちらでも構わない。
【００３５】
１６は撮像素子１４からのアナログ信号出力をデジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２およびシステム制御回路５０により制御される。
【００３６】
２０は画像処理回路であり、Ａ／Ｄ変換器１６からのデータあるいはメモリ制御回路２２からのデータに対して所定の画素補間処理や色変換処理を行う。また、画像処理回路２０においては、必要に応じて撮像した画像データを用いて所定の演算処理を行い、得られた演算結果に基づいてシステム制御回路５０が露光制御手段４０、測距制御手段４２に対して制御を行うＴＴＬ（スルー・ザ・レンズ）方式のＡＦ（オートフォーカス）処理、ＡＥ（自動露出制御）処理、ＥＦ（ストロボ調光）処理を行う。さらに、画像処理回路２０においては、ホワイトバランス制御回路４６により得られた演算結果に基づいてＷＢ（ホワイトバランス）処理も行っている。
【００３７】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、あるいはＡ／Ｄ変換器１６のデータが直接メモリ制御回路２２を介して画像表示メモリ２４あるいはメモリ３０に書き込まれる。
【００３８】
２４は画像表示メモリ、２６はＤ／Ａ変換器、２８はＴＦＴ・ＬＣＤなどから成る画像表示部であり、画像表示メモリ２４に書き込まれた表示用の画像データは、Ｄ／Ａ変換器２６を介して画像表示部２８により表示される。画像表示部２８を用いて撮像した画像データを逐次表示すれば、電子ビューファインダー機能を実現することも可能である。また、画像表示部２８は、システム制御回路５０の指示により任意に表示をＯＮ／ＯＦＦすることが出来、表示をＯＦＦにした場合には電子カメラ本体１００の電力消費を大幅に低減することが可能である。
【００３９】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００４０】
３２は適応離散コサイン変換（ＡＤＣＴ）などにより画像データを圧縮伸長する圧縮・伸長回路であり、メモリ３０に格納された画像を読み込んで圧縮処理あるいは伸長処理を行い、処理を終えたデータをメモリ３０に書き込む。
【００４１】
４０は測光手段４３からの測光情報に基づいて、絞り３１２を制御する絞り制御手段３４０と連携しながらシャッター１２を制御するシャッター制御手段である。
【００４２】
４２はＡＦ（オートフォーカス）処理を行うための測距手段であり、レンズ３１０に入射した光線を一眼レフ方式によって絞り３１２、レンズマウント３０６および１０６、ミラー１３０そして測距用サブミラー（図示せず）を介して測距手段４２に入射させることにより、光学像として結像された画像の合焦状態を測定することが出来る。
【００４３】
４３はＡＥ（自動露出）処理を行うための測光手段であり、撮影レンズ３１０に入射した光線を一眼レフ方式によって絞り３１２、レンズマウント３０６および１０６、ミラー１３０および１３２そして測光用レンズ（図示せず）を介して測光手段４３に入射させることにより、光学像として結像された画像の露出状態を測定することが出来る。また、測光手段４３は、ストロボ４７と連携することによりＥＦ（ストロボ調光）処理機能も有する。
【００４４】
４５はホワイトバランス算出回路で、ＴＴＬ方式により撮像した画像データを用いて色温度を算出する。
【００４５】
４６はホワイトバランス制御回路で、撮影者の光源選択や色温度入力に応じて予め設定されたホワイトバランス調整のゲインなどによって画像処理回路２０がホワイトバランスの処理をするのに必要なホワイトバランス補正データを算出する。
【００４６】
４７はストロボであり、ＡＦ補助光の投光機能、ストロボ調光機能も有する。なお、撮像素子１４によって撮像した画像データを画像処理回路２０によって演算した演算結果に基づき、システム制御回路５０がシャッター制御手段４０、絞り制御手段３４０、測距制御手段３４２に対して制御を行う、ビデオＴＴＬ方式を用いて露出制御およびＡＦ（オートフォーカス）制御をすることも可能である。さらに、測距手段４２による測定結果と、撮像素子１４によって撮像した画像データを画像処理回路２０によって演算した演算結果とを共に用いてＡＦ（オートフォーカス）制御を行っても構わない。そして、測光手段４３による測定結果と、撮像素子１４によって撮像した画像データを画像処理回路２０によって演算した演算結果とを共に用いて露出制御を行っても構わない。
【００４７】
５０は電子カメラ本体１００全体を制御するシステム制御回路、５２はシステム制御回路５０の動作用の定数、変数、プログラムなどを記憶するメモリである。
【００４８】
５３はカメラ本体の設定や撮影条件および撮影した画像の画像処理方法など、電子カメラに関する様々な設定を記憶する電子カメラ設定メモリである。
【００４９】
５４はシステム制御回路５０でのプログラムの実行に応じて、文字、画像、音声などを用いて動作状態やメッセージを表示する液晶表示装置やスピーカーなどの表示部であり、電子カメラ本体１００の操作部近辺の視認しやすい位置に１個もしくは複数個設置され、例えばＬＣＤやＬＥＤ、発音素子などの組み合わせにより構成されている。表示部５４は、その一部の機能が光学ファインダー１０４内に設置されている。表示部５４の表示内容のうち、ＬＣＤなどに表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００および２１０の着脱状態表示、撮影レンズユニット３００の着脱状態表示、通信Ｉ／Ｆ動作表示、日付・時刻表示、外部コンピュータとの接続状態を示す表示などがある。また、表示部５４の表示内容のうち、光学ファインダー１０４内に表示するものとしては、合焦表示、撮影準備完了表示、手ブレ警告表示、フラッシュ充電表示、フラッシュ充電完了表示、シャッタースピード表示、絞り値表示、露出補正表示、記録媒体書き込み動作表示などがある。さらに、表示部５４の表示内容のうちＬＥＤなどに表示するものとしては、合焦表示、撮影準備完了表示、手ブレ警告表示、フラッシュ充電表示、フラッシュ充電完了表示、記録媒体書き込み動作表示、マクロ撮影設定通知表示、二次電池充電状態表示などがある。そして、表示部５４の表示内容のうちランプなどに表示するものとしては、セルフタイマー通知ランプなどがある。このセルフタイマー通知ランプはＡＦ補助光と共用して用いても良い。
【００５０】
５６は電気的に消去・記録可能な不揮発性メモリであり、例えばＥＥＰＲＯＭなどが用いられる。
【００５１】
５７は画像データ分類条件メモリで、１つもしくは複数の画像データ分類条件を記憶している。
【００５２】
５８は画像データ分類条件設定メモリで、現在撮影している画像の画像データを分類・記録する際に使用する画像データ分類条件を記憶している。
【００５３】
５９はフォルダー作成手段であり、画像データ分類条件設定メモリ５８に記憶されている画像データ分類条件を有するフォルダー情報ファイルを付帯したフォルダーを記録媒体の記録領域内に作成する。
【００５４】
６０、６２、６４、６６、６８および７０は、システム制御回路５０の各種の動作指示を入力するための操作手段であり、スイッチやダイヤル、タッチパネル、視線検知によるポインティング、音声認識装置などの単数あるいは複数の組み合わせで構成される。
【００５５】
ここで、これらの操作手段の具体的な説明を行う。６０はモードダイヤルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モードなどの各機能撮影モードを切り替え設定することが出来る。
【００５６】
６２はレリーズスイッチＳＷ１で、レリーズボタン（図示せず）の操作途中でＯＮとなり、ＡＦ（オートフォーカス）処理、ＡＥ（自動露出）処理、ＷＢ（ホワイトバランス）処理、ＥＦ（ストロボ調光）処理などの動作開始を指示する。
【００５７】
６４はレリーズスイッチＳＷ２で、レリーズボタン（図示せず）の操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００あるいは２１０に画像データを書き込む記録処理という一連の処理の動作開始を指示する。
【００５８】
６６は画像データ分類記録モードスイッチで、スイッチをＯＮすると、撮影した画像の画像データを画像データ分類条件設定メモリ５８に記憶されている画像データ分類条件に基づいて分類し、分類結果により指定されたフォルダーに画像データを記録する、画像データ分類記録モードになる。
【００５９】
６８はフォルダー選択ボタンで、撮影者が電子カメラ本体に装着されている記録媒体内の全フォルダーの中から１つのフォルダーを選択する際に用いる。＋（プラス）ボタンと−（マイナス）ボタンがあり、＋（プラス）ボタンを操作することにより現在選択しているフォルダーの１つ後のフォルダーを選択し、−（マイナス）ボタンを操作することにより現在選択しているフォルダーの１つ前のフォルダーを選択する。
【００６０】
７０は画像データ分類条件選択手段であり、撮影した画像の画像データを分類して記録する際に、撮影者が画像データ分類条件メモリ５７に記憶されている１つもしくは複数の画像データ分類条件の中から所望の画像データ分類条件を選択するのに用いる。＋（プラス）ボタンと−（マイナス）ボタンがあり、＋（プラス）ボタンを操作することにより現在選択している画像データ分類条件の１つ後に記憶されている画像データ分類条件を選択し、−（マイナス）ボタンを操作することにより現在選択している画像データ分類条件の１つ前に記憶されている画像データ分類条件を選択する。
【００６１】
７２はホワイトバランス選択スイッチで、撮像素子１４の出力信号から外光の色を算出し、その色温度データを用いるＴＴＬ方式によってホワイトバランスの調整を行うオートホワイトバランスと、撮影環境の光源の種類（例えば太陽光、電球、蛍光灯など）を撮影者が判断し、光源選択手段（図示せず）により光源の種類を選択し、または撮影者が撮影環境の色合い（色温度）を測定し、色温度入力手段により電子カメラに撮影環境の色温度を入力し、この光源の選択や色温度の入力に応じて赤信号回路の利得と青信号回路の利得とが、予め設定されている光源および色温度固有の固定ゲインに設定されるマニュアルホワイトバランスとを選択する。
【００６２】
７４は各種ボタンやタッチパネルなどからなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、撮影画質選択ボタン、露出補正ボタン、日付／時間設定ボタン、パノラマモードなどの撮影および再生を実行する際に各種機能の選択および切り替えを設定する選択／切り替えボタン、パノラマモードなどの撮影および再生を実行する際に各種機能の決定および実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため、あるいは撮像素子の信号をそのままデジタル化して記録媒体に記録するＣＣＤＲＡＷモードを選択するためのスイッチである圧縮モードスイッチ、再生モード、ＰＣ接続モードなどの各機能モードを設定することが出来る再生スイッチ、レリーズスイッチＳＷ１を押したならばオートフォーカス動作を開始し一旦合焦したならばその合焦状態を保ち続けるワンショットＡＦモードとレリーズスイッチＳＷ１を押している間は連続してオートフォーカス動作を続けるサーボＡＦモードとを設定することが出来るＡＦモード設定スイッチなどがある。
【００６３】
また、上記プラスボタンおよびマイナスボタンの各機能は、回転ダイヤルスイッチを備えることによって、より軽快に数値や機能を選択することが可能となる。
【００６４】
７６は電源スイッチで、電子カメラ本体１００の電源オン、電源オフの各モードを切り替え設定することが出来る。また、電子カメラ本体１００に接続された撮影レンズユニット３００、外部ストロボ（図示せず）、記録媒体２００、２１０などの各種付属装置の電源オン、電源オフの設定も合わせて切り替え設定することが出来る。
【００６５】
８０は電源制御手段で、電池検出回路、ＤＣ−ＤＣコンバータ、通電するブロックを切り替えるスイッチ回路などにより構成されており、電池の装着の有無、電池の種類、電池残量の検出を行い、検出結果およびシステム制御回路５０の指示に基づいてＤＣ−ＤＣコンバータを制御し、必要な電圧を必要な期間、記録媒体を含む各部へ供給する。
【００６６】
８２および８４はコネクタ、８６はアルカリ電池やリチウム電池などの一次電池やＮｉＣｄ電池やＮｉＭＨ電池、Ｌｉ電池などの二次電池、ＡＣアダプターなどからなる電源手段である。
【００６７】
９０および９４はメモリカードやハードディスクなどの記録媒体とのインターフェースであり、９２および９６はメモリカードやハードディスクなどの記録媒体と接続を行うコネクタ、９８はコネクタ９２および９６に記録媒体２００あるいは２１０が装着されているか否かを検知する記録媒体着脱検知手段である。なお、本実施例では記録媒体を取り付けるインターフェースおよびコネクタを２系統持つものとして説明している。もちろん、記録媒体を取り付けるインターフェースおよびコネクタは、１つもしくは複数、いずれの系統数を備える構成としても構わない。また、異なる規格のインターフェースおよびコネクタを組み合わせて備える構成としても構わない。インターフェースおよびコネクタとしては、ＰＣＭＣＩＡカードやＣＦ（コンパクトフラッシュ(登録商標)）カードなどの規格に準拠したものを用いて構成して構わない。さらに、インターフェース９０および９４、そしてコネクタ９２および９６をＰＣＭＣＩＡカードやＣＦ（コンパクトフラッシュ(登録商標)）カードなどの規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳの通信カードなど、各種通信カードを接続することにより、他のコンピュータやプリンタなどの周辺機器との間で画像データや画像データに付属した管理情報を転送し合うことが出来る。
【００６８】
１０４は光学ファインダーであり、撮影レンズ３１０に入射した光線を、一眼レフ方式によって、絞り３１２、レンズマウント３０６および１０６、ミラー１３０および１３２を介して導き、光学像として結像表示することが出来る。これにより、画像表示部２８による電子ビューファインダー機能を使用することなしに光学ファインダー１０４のみを用いて撮影を行うことが可能である。また、光学ファインダー１０４内には、表示部５４の一部の機能（合焦表示、手ブレ警告表示、フラッシュ充電表示、シャッタースピード表示、絞り値表示、露出補正表示など）が設置されている。
【００６９】
１１０は通信手段で、ＲＳ２３２ＣやＵＳＢ、ＩＥＥＥ１３９４、Ｐ１２８４、ＳＣＳＩ、モデム、ＬＡＮ、無線通信などの各種通信機能を有する。
【００７０】
１１２は通信手段１１０により電子カメラ本体１００を他の機器と接続するコネクタあるいは無線通信の場合はアンテナである。
【００７１】
１２０は、レンズマウント１０６内において、電子カメラ本体１００を撮影レンズユニット３００と接続するためのインターフェース、１２２は電子カメラ本体１００を撮影レンズユニット３００と電気的に接続するコネクタ、１２４はレンズマウント１０６およびあるいはコネクタ１２２に撮影レンズユニット３００が装着されているか否かを検知するレンズ着脱検知手段である。
【００７２】
コネクタ１２２は、電子カメラ本体１００と撮影レンズユニット３００との間で制御信号、状態信号、データ信号などを伝え合うと共に、各種電圧の電流を供給する機能も備えている。また、コネクタ１２２は電気通信のみならず、光通信、音声通信などを伝達する構成としても良い。
【００７３】
１５０は時計であり、１５１はＧＰＳ（全地球測位システム）である。
【００７４】
１５２は撮影者の眼球の虹彩により撮影者を認識する撮影者認識手段である。
【００７５】
１５３は１人もしくは複数人の名前と共にその人の眼球の虹彩を記憶する撮影者メモリである。
【００７６】
２００はメモリカードやハードディスクなどの記録媒体である。記録媒体２００は、半導体メモリや磁気ディスクなどから構成される記録領域２０１、電子カメラ本体１００とのインターフェース２０４、電子カメラ本体１００と接続を行うコネクタ２０６を備えている。
【００７７】
記録領域２０１は１つもしくは複数のフォルダー（２０２など）を有し、また、フォルダーのいくつかにはそれぞれのフォルダー固有のフォルダー情報ファイル（２０３など）が付帯されており、画像データ分類条件が格納されている。
【００７８】
２１０はメモリカードやハードディスクなどの記録媒体である。記録媒体２１０は、半導体メモリや磁気ディスクなどから構成される記録領域２１１、電子カメラ本体１００とのインターフェース２１４、電子カメラ本体１００と接続を行うコネクタ２１６を備えている。
【００７９】
記録領域２１１は１つもしくは複数のフォルダー（２１２など）を有し、また、フォルダーのいくつかにはそれぞれのフォルダー固有のフォルダー情報ファイル（２１３など）が付帯されており、画像データ分類条件が格納されている。
【００８０】
３００は交換レンズタイプの撮影レンズユニットであり、以下のように構成されている。
【００８１】
３０６は、撮影レンズユニット３００を電子カメラ本体１００と機械的に結合するレンズマウントである。レンズマウント３０６内には、撮影レンズユニット３００を電子カメラ本体１００と電気的に接続する各種機能が含まれている。
【００８２】
３１０は撮影レンズ、３１２は絞りである。
【００８３】
３２０は、レンズマウント３０６および付属品マウント３２４内において、撮影レンズユニット３００を電子カメラ本体１００と接続するためのインターフェース、３２２は撮影レンズユニット３００を電子カメラ本体１００と電気的に接続するコネクタである。
【００８４】
コネクタ３２２は、電子カメラ本体１００とレンズユニット３００との間で制御信号、状態信号、データ信号などを伝え合うと共に、各種電圧の電流を供給されるあるいは供給する機能も備えている。また、コネクタ３２２は電気通信のみならず、光通信、音声通信などを伝達する構成としても良い。
【００８５】
３４０は測光手段４３からの測光情報に基づいて、シャッター１２を制御するシャッター制御手段４０と連携しながら、絞り３１２を制御する絞り制御手段である。
【００８６】
３４２は撮影レンズ３１０のフォーカシングを制御する測距制御手段、３４４は撮影レンズ３１０のズーミングを制御するズーム制御手段である。
【００８７】
３５０は撮影レンズユニット３００全体を制御するレンズシステム制御回路である。レンズシステム制御回路３５０は、動作用の定数、変数、プログラムなどを記憶するメモリや撮影レンズユニット３００固有の番号などの識別情報、管理情報、開放絞り値や最小絞り値、焦点距離などの機能情報、現在や過去の各設定値などを保持する不揮発メモリの機能も備えている。
【００８８】
図２は、撮影した画像の画像データを自動的に分類して記録媒体の記録領域内のフォルダーに記録する画像データ分類記録モードにおける一連の撮影動作のフローチャートである。
【００８９】
画像データ分類記録モードスイッチ６６をＯＮし、撮影した画像の画像データを自動的に分類して記録媒体の記録領域内のフォルダーに記録する画像データ分類記録モードにすると（ステップ１００）、記録媒体着脱検知手段９８は、コネクタ９２および９６に記録媒体２００および２１０が装着されているかを検知する（ステップ１０１）。
【００９０】
記録媒体２００もしくは２１０のどちらも装着されていない場合は（ステップ１０１のＮＯ側）、少なくともどちらか一方が装着されるまで記録媒体着脱検知手段９８が記録媒体の装着検知を繰り返す。
【００９１】
記録媒体着脱検知手段９８により、記録媒体２００もしくは２１０の内、少なくともどちらか一方の装着が検知された場合は（ステップ１０１のＹＥＳ側）、システム制御回路５０が現在装着している記録媒体（本実施例では記録媒体２００とする）の記録領域２０１内にフォルダーが１つもしくは複数存在するかを判別する（ステップ１０２）。
【００９２】
記録媒体２００の記録領域２０１内にフォルダーが１つも存在しなかった場合は（ステップ１０２のＮＯ側）、電子カメラ本体１００内の画像データ分類条件メモリ５７に記憶されている１つもしくは複数の画像データ分類条件の中から、撮影した画像データを分類する画像データ分類条件を選択するとみなし、ステップ１０４に進む。
【００９３】
記録媒体２００の記録領域２０１内にフォルダーが１つもしくは複数存在しているが（ステップ１０２のＹＥＳ側）、記録媒体２００の記録領域２０１に存在するフォルダーに付帯されているフォルダー情報ファイル２０３が有する画像データ分類条件の中から、撮影した画像の画像データを分類する画像データ分類条件を選択しない場合も（ステップ１０３のＮＯ側）、ステップ１０４に進む。なお、ステップ１０４以降の電子カメラ本体１００内の画像データ分類条件メモリ５７に記憶されている分類条件の中から、撮影した画像データを分類する画像データ分類条件を選択する場合についての詳細は、図３を参照して後述する。
【００９４】
記録媒体２００の記録領域２０１内にフォルダーが１つもしくは複数存在しており（ステップ１０２のＹＥＳ側）、かつ、記録媒体２００の記録領域２０１に存在するフォルダーに付帯されているフォルダー情報ファイルが有する画像データ分類条件の中から、撮影した画像の画像データを分類する画像データ分類条件を選択する場合は（ステップ１０３のＹＥＳ側）、フォルダー選択手段６８を操作して、１つもしくは複数存在するフォルダーの中から撮影者が所望の画像データ分類条件を有するフォルダー情報ファイルを付帯したフォルダー（本実施例ではフォルダー２０２とする）を選択する（ステップ１０５）。
【００９５】
続いて、システム制御回路５０は、フォルダー選択手段６８により選択されたフォルダーに付帯されているフォルダー情報ファイル２０３が有する画像データ分類条件を、電子カメラ本体１００内の画像データ分類条件設定メモリ５８に記憶させる（ステップ１０６）。
【００９６】
次に、レリーズボタン（図示せず）の半押しによりレリーズスイッチＳＷ１（６２）がＯＮされると、システム制御回路５０は、ＡＦ（オートフォーカス）処理およびＡＥ（自動露出）処理、ＡＷＢ（オートホワイトバランス）処理を行う。これら３つの処理はレリーズボタン（図示せず）の全押しによってレリーズスイッチＳＷ２（６４）がＯＮされるまで繰り返し実行される。
【００９７】
レリーズスイッチＳＷ２（６４）がＯＮされると、測光手段４３の測光結果からシステム制御回路５０が露出演算で決定した露光時間に基づいてシャッター制御手段４０はシャッター１２を制御駆動し、撮像素子１４は装着された撮影レンズユニット３１０を透過した光線を受光、信号電荷を蓄積する。撮像素子１４からのアナログ信号出力をＡ／Ｄ変換器１６によってデジタル信号に変換し、デジタル信号となった画像データを画像処理回路２０により所定の画素補間処理や色変換処理が施された後、メモリ制御回路２２を介して、あるいはＡ／Ｄ変換器１６の画像データが直接メモリ制御回路２２を介して画像メモリ２４あるいはメモリ３０に書き込むという撮像に係る一連の動作を開始する（ステップ１０７）。
【００９８】
システム制御回路５０は撮影した画像を画像データ分類条件設定メモリ５８に記憶されている画像データ分類条件に関して分類し、撮影した画像の画像データを記録するべきフォルダーを指定する（ステップ１０８）。その際、分類結果により指定されたフォルダーが電子カメラ本体１００に現在装着されている記録媒体２００の記録領域２０１内に存在するかを判別する（ステップ１０９）。判別結果により、画像データを記録するべきフォルダーが存在しなかった場合は（ステップ１０９のＮＯ側）、フォルダー作成手段５９が画像データ分類条件設定メモリ５８に記憶されている画像データ分類条件を有するフォルダー情報ファイルを付帯したフォルダーを記録媒体２００の記録領域２０１内に作成する（ステップ１１０）。
【００９９】
そして圧縮・伸長回路３２は、メモリ３０に格納された画像を読み込んで圧縮処理を行い、処理を終えたデータをメモリ３０に書き込み、メモリ３０に書き込まれた画像データは、ステップ１０８において決定されたフォルダーに記録する（ステップ１１１）。
【０１００】
撮影者が画像データ分類記録モードでさらに撮影を続ける場合は（ステップ１１２のＮＯ側）、撮影した画像の画像データ分類条件を変更するかどうかを選択する（ステップ１１３）。撮影した画像の画像データ分類条件を変更しない場合は（ステップ１１３のＮＯ側）、ステップ１０７に戻り、上記の被写界の撮影に係る一連の動作を行う。
【０１０１】
画像データ分類条件を変更する場合において（ステップ１１３のＹＥＳ側）、電子カメラ本体１００に現在装着している記録媒体２００の記録領域内２０１に存在するフォルダーに付帯のフォルダー情報ファイルが有するもの中から画像データ分類条件を選択する場合は（ステップ１１４のＮＯ側）、ステップ１０５に戻り、撮影者が所望の画像データ分類条件を有するフォルダー情報ファイルを付帯しているフォルダーの選択から再び行う。
【０１０２】
電子カメラ本体１００内の画像データ分類条件メモリ５７に記憶されている１つもしくは複数の画像データ分類条件の中から選択する場合は（ステップ１１４のＹＥＳ側）、ステップ１１５へ進む。
【０１０３】
ステップ１１２において、撮影者が撮影画像データ分類記録モードでの撮影を終了する場合は（ステップ１１２のＮＯ側）、撮影者は操作部７４を用いて、電子カメラ本体１００に現在装着している記録媒体２００の記録領域２０１内に存在する１つもしくは複数のフォルダーに付帯のフォルダー情報ファイルが有する１つもしくは複数の画像データ分類条件を電子カメラ本体１００内の画像データ分類条件メモリ５７に記憶させるかどうかを選択する（ステップ１１６）。
【０１０４】
記録媒体２００の記録領域２０１内に存在するフォルダーに付帯のフォルダー情報ファイルが有する画像データ分類条件を画像データ分類条件メモリ５７に記憶させない場合は（ステップ１１６のＮＯ側）、そのまま撮影画像データ分類記録モードでの撮影が終了となる（ステップ１１７）。
【０１０５】
記録媒体２００の記録領域２０１内に存在するフォルダーに付帯のフォルダー情報ファイルが有する画像データ分類条件を画像データ分類条件メモリ５７に記憶させる場合は（ステップ１１６のＹＥＳ側）、フォルダー選択手段６８を操作して、１つもしくは複数存在するフォルダーの中から撮影者が所望の画像データ分類条件を有するフォルダー情報ファイルを付帯しているフォルダーを選択する（ステップ１１８）。
【０１０６】
続いて、システム制御回路５０は、フォルダー選択手段６８により選択されたフォルダーに付帯されているフォルダー情報ファイルが有する画像データ分類条件を、画像データ分類条件メモリ５７に記憶させる（ステップ１１９）。
【０１０７】
上記の記録媒体２００の記録領域２０１内に存在するフォルダーに付帯のフォルダー情報ファイルが有する画像データ分類条件を画像データ分類条件メモリ５７に記憶させる作業を続ける場合は（ステップ１２０のＹＥＳ側）、ステップ１１８に戻り、フォルダー選択手段６８を操作して所望の画像データ分類条件を有するフォルダー情報ファイルを付帯したフォルダーを選択する。
【０１０８】
画像データ分類条件記憶作業を終了する場合は、そのまま撮影画像データ分類記録モードでの撮影が終了となる（ステップ１２１）。
【０１０９】
図３は、撮影した画像の画像データを自動的に分類して記録媒体の記録領域内のフォルダーに記録する撮影画像データ分類記録モードにおいて、電子カメラ本体１００内の画像データ分類条件メモリ５７に記憶されている分類条件の中から、撮影した画像データを分類する画像データ分類条件を選択する場合のフローチャートである。
【０１１０】
画像データ分類条件選択手段７０を操作し、画像データ分類条件メモリ５７の中から撮影者が所望の画像データ分類条件を選択し（ステップａ０１）、システム制御回路５０が画像データ分類条件選択手段７０により選択された画像データ分類条件を、画像データ分類条件設定メモリ５８に記憶させる（ステップａ０２）。
【０１１１】
次に、レリーズボタン（図示せず）の半押しによりレリーズスイッチＳＷ１（６２）がＯＮされると、システム制御回路５０は、ＡＦ（オートフォーカス）処理およびＡＥ（自動露出）処理、ＡＷＢ（オートホワイトバランス）処理を行う。これら３つの処理はレリーズボタン（図示せず）の全押しによってレリーズスイッチＳＷ２（６４）がＯＮされるまで繰り返し実行される。
【０１１２】
レリーズスイッチＳＷ２（６４）がＯＮされると、測光手段４３の測光結果からシステム制御回路５０が露出演算で決定した露光時間に基づいてシャッター制御手段４０はシャッター１２を制御駆動し、撮像素子１４は装着された撮影レンズユニット３１０を透過した光線を受光、信号電荷を蓄積する。撮像素子１４からのアナログ信号出力をＡ／Ｄ変換器１６によってデジタル信号に変換し、デジタル信号となった画像データを画像処理回路２０により所定の画素補間処理や色変換処理が施された後、メモリ制御回路２２を介して、あるいはＡ／Ｄ変換器１６の画像データが直接メモリ制御回路２２を介して画像メモリ２４あるいはメモリ３０に書き込むという撮像に係る一連の動作を開始する（ステップａ０３）。
【０１１３】
システム制御回路５０は撮影した画像を画像データ分類条件設定メモリ５８に記憶されている画像データ分類条件に関して分類し、撮影した画像の画像データを記録するべきフォルダーを指定する（ステップａ０４）。その際、分類結果により指定された画像データを記録するべきフォルダーが電子カメラ本体１００に現在装着されている記録媒体２００の記録領域２０１内に存在するかを判別する（ステップａ０５）。判別結果により、画像データを記録するべきフォルダーが存在しなかった場合は（ステップａ０５のＮＯ側）、フォルダー作成手段５９が画像データ分類条件設定メモリ５８に記憶されている画像データ分類条件を有するフォルダー情報ファイルを付帯したフォルダーを記録媒体２００の記録領域２０１内に作成する（ステップａ０６）。
【０１１４】
そして圧縮・伸長回路３２は、メモリ３０に格納された画像を読み込んで圧縮処理を行い、処理を終えたデータをメモリ３０に書き込み、メモリ３０に書き込まれた画像データは、ステップａ０４において決定されたフォルダーに記録する（ステップａ０７）。
【０１１５】
撮影者が撮影画像データ分類記録モードでさらに撮影を続ける場合は（ステップａ０８のＮＯ側）、撮影した画像の画像データ分類条件を変更するかどうかを選択する（ステップａ１０）。
【０１１６】
撮影した画像の画像データ分類条件を変更しない場合は（ステップａ１０のＮＯ側）、ステップａ０３に戻り、上記の被写界の撮影に係る一連の動作を行う。
【０１１７】
画像データ分類条件を変更する場合において（ステップａ１０のＹＥＳ側）、電子カメラ本体１００内の画像データ分類条件メモリ５７に記憶されている１つもしくは複数の画像データ分類条件の中から選択する場合は（ステップａ１１のＹＥＳ側）、ステップａ０１に戻り、画像データ分類条件メモリ５７に記憶されている１つもしくは複数の画像データ分類条件から、撮影者が所望の画像データ分類条件を選択することから再び行う。
【０１１８】
電子カメラ本体１００に現在装着している記録媒体２００の記録領域内２０１に存在するフォルダーに付帯のフォルダー情報ファイルが有するもの中から画像データ分類条件を選択する場合は（ステップａ１１のＮＯ側）、図２のステップ１０５へ進み、撮影者が所望の画像データ分類条件を有するフォルダー情報ファイルを付帯しているフォルダーの選択から行う。
【０１１９】
ステップａ０８において、撮影者が撮影画像データ分類記録モードでの撮影を終了する場合は（ステップａ０８のＮＯ側）、図２のステップ１１６へ進み、電子カメラ本体１００に現在装着している記録媒体２００の記録領域２０１内に存在するフォルダーのフォルダー情報ファイルが有する画像データ分類条件を画像データ分類条件メモリに記憶する一連の作業を行う（ステップａ０９）。
【０１２０】
図４−１，図４−２の（ａ），（ｂ），（ｃ），（ｄ），（ｅ）は、画像データ分類条件および画像データ分類条件により指定されたフォルダーの例であり、図４（ａ）は、図２のステップ１０５において、フォルダー選択手段６８により選択された画像データ分類条件が「被写体」であった場合である。システム制御回路５０は撮影した画像の被写体を認識し、主被写体が人間であった場合は「人物」のフォルダーに、草花であった場合は「花」のフォルダーに、というように画像データを記録する。
【０１２１】
図４（ｂ）は、図２のステップ１０５において、フォルダー選択手段６８により選択された画像データ分類条件が「日付」であった場合である。時計１５０により撮像時の日付を割り出し、システム制御回路５０は一日ごとにフォルダーを分けて画像データを記録する。
【０１２２】
図４（ｃ）は、図２のステップ１０５において、フォルダー選択手段６８により選択された画像データ分類条件が「場所」であった場合である。ＧＰＳ１５１により画像の撮影場所を割り出し、システム制御回路５０は撮影場所ごとにフォルダーを分けて画像データを記録する。
【０１２３】
図４（ｄ）は、図２のステップ１０５においてフォルダー選択手段６８により選択された画像データ分類条件が「画像評価」であった場合である。システム制御回路５０は露出・手ブレ・ピントなどの観点から撮影した画像が良好であるか、そうでないかを判別し、良好な画像とそうでない画像とをフォルダーを分けて記録する。
【０１２４】
図４（ｅ）は、図２のステップ１０５においてフォルダー選択手段６８により選択された画像データ分類条件が「撮影者」であった場合である。人間は眼球の虹彩が一人一人異なるので、予め撮影者メモリ１５３に撮影者の名前とその虹彩を登録させておき、撮影時に撮影者認識手段１５２が撮影者の虹彩を認識し、撮影者メモリ１５３と照合することにより、画像の撮影者が誰であるかを割り出すことが可能となる。システム制御回路５０は撮影者ごとにフォルダーを分けて、画像データを記録する。
【図面の簡単な説明】
【０１２５】
【図１】本発明の第１の実施形態を示す電子カメラの内部構成を示すブロック構成図である。
【図２】撮影した画像の画像データを自動的に分類して記録媒体の記録領域内のフォルダーに記録する画像データ分類記録モードにおける一連の撮影動作のフローチャートである。
【図３】撮影した画像の画像データを自動的に分類して記録媒体の記録領域内のフォルダーに記録する撮影画像データ分類記録モードにおいて、電子カメラ本体１００内の画像データ分類条件メモリ５７に記憶されている分類条件の中から、撮影した画像データを分類する画像データ分類条件を選択する場合のフローチャートである。
【図４−１】（ａ），（ｂ），（ｃ）は画像データ分類条件および画像データ分類条件により指定されたフォルダーの例である。
【図４−２】（ｄ），（ｅ）は画像データ分類条件および画像データ分類条件により指定されたフォルダーの例である。
【図５】従来の電子カメラにおける記録媒体内のフォルダー階層構造を示す概念図である。
【符号の説明】
【０１２６】
１００  電子カメラ本体
３００  撮影レンズユニット
１４  撮像素子
１６  Ａ／Ｄ変換器
２０  画像処理回路
２４  画像表示メモリ
２８  画像表示部
５０  システム制御回路
５７  画像データ分類条件メモリ
５８  画像データ分類条件設定メモリ
５９  フォルダー作成手段
６８  フォルダー選択手段
７０  画像データ分類条件選択手段
２００、２１０  記録媒体
２０２、２１２  フォルダー
２０３、２１３  フォルダー情報ファイル
【図１】
2005252956.tif 000003
【図２】
2005252956.tif 000004
【図３】
2005252956.tif 000005
【図４−１】
2005252956.tif 000006
【図４−２】
2005252956.tif 000007
【図５】
2005252956.tif 000008